(57)【要約】【課題】  建物外壁が建物躯体に接しておらず離間している場合でも、ナット部材の締付力で建物外壁の構築物取付部分が凹んだり、割れたりしない構築物の取付装置とする。【解決手段】  建物躯体１に取付けたボルト部材１０を建物外壁２の孔４を挿通して外部側に突出し、この突出部分にナット部材２０を螺合し、そのナット部材２０の締付力で構築物の取付部分を建物外壁２の表面位置に取付け、前記ボルト部材１０にナット部材２０の締付力をボルト部材１０に伝えて支持する外壁支持部材４０を建物外壁２の裏面位置に設け、建物躯体１と接しておらず離間している建物躯体２がナット部材２０の締付力で凹んだり、割れたりしないようにした構築物の取付装置。【選択図】  図１
2005188095.tif 000002
【特許請求の範囲】
【請求項１】
建物躯体に取付けたボルト部材を建物外壁の孔を挿通して外部側に突出させ、この突出部分に螺合したナット部材を締付けることで構築物の取付部分を建物外壁の表面位置に取付け、
前記ボルト部材に、ナット部材の締付け力をボルト部材に伝えて支持する外壁支持部材を建物外壁の裏面位置に設けたことを特徴とする構築物の取付装置。
【請求項２】
ボルト部材の突出部分には、構築物の取付部分と建物外壁の表面位置との間に、さらに外壁支持部材を設けた請求項１記載の構築物の取付装置。
【請求項３】
外壁支持部材は、ボルト部材の軸方向に位置調整可能に設けた請求項１又は２記載の構築物の取付装置。
【請求項４】
外壁支持部材はボルト部材に螺合しており、その外壁支持部材を回すことで位置調整可能に設けた請求項３記載の構築物の取付装置。
【発明の詳細な説明】
【技術分野】
【０００１】
本発明は、玄関庇、バルコニー、窓用手摺、出窓ユニット等の構築物を建物外壁に取付ける構築物の取付装置に関する。
【背景技術】
【０００２】
特許文献１に、構築物の取付装置が開示されている。
この取付装置は、建物躯体に取付金属部材を固着し、この取付金属部材に設けた支持ボルトを建物外壁よりも突出させ、その支持ボルトの突出部分に構築物（支持ブラケット）の孔を挿通すると共に、ナットを螺合して締付けることで構築物を建物外壁に押しつけて取付ける形態である。
【０００３】
【特許文献１】実公平３−４６４３号公報
【発明の開示】
【発明が解決しようとする課題】
【０００４】
前述した従来の取付装置は、ナットの締付け力で構築物を建物外壁に押しつけて取付けるので、その建物外壁が建物躯体に接していれば、そのナットの締付け力を構築物を介して建物躯体で支持できる。
しかしながら、建物躯体と建物外壁との間に通気用の空間部がある場合や、断熱材を設けた場合などのように建物外壁が建物躯体に接しておらず離間している場合には、前述のナットの締付力を建物躯体で支持できないから、そのナットの締付力で建物外壁の構築物取付け部分が建物躯体側に向けて変形し、凹んだり、割れたりする恐れがある。
【０００５】
本発明は、前述の課題に鑑みなされたもので、その目的は、建物外壁が建物躯体に接しておらず離間している場合でもナット部材の締付力で建物外壁の構築物取付け部分が凹んだり、割れたりすることがないようにした構築物の取付装置を提供することである。
【課題を解決するための手段】
【０００６】
第１の発明は、建物躯体に取付けたボルト部材を建物外壁の孔を挿通して外部側に突出させ、この突出部分に螺合したナット部材を締付けることで構築物の取付部分を建物外壁の表面位置に取付け、
前記ボルト部材に、ナット部材の締付け力をボルト部材に伝えて支持する外壁支持部材を建物外壁の裏面位置に設けたことを特徴とする構築物の取付装置である。
【０００７】
この取付装置においては、ボルト部材の軸方向基端部を建物躯体に取付け、その軸方向先端部にナット部材を螺合し、かつ軸方向中間部に外壁支持部材を設けることが好ましく、その外壁支持部材は建物外壁の孔よりも大きく、その孔の周縁部に接することが好ましい。
【０００８】
第２の発明は、第１の発明においてボルト部材の突出部分には、構築物の取付部分と建物外壁の表面位置との間に、さらに外壁支持部材を設けた構築物の取付装置である。
【０００９】
第３の発明は、第１又は第２の発明において外壁支持部材は、ボルト部材の軸方向に位置調整可能に設けた構築物の取付装置である。
【００１０】
第４の発明は、第３の発明において外壁支持部材はボルト部材に螺合しており、その外壁支持部材を回すことで位置調整可能に設けた構築物の取付装置である。
【発明の効果】
【００１１】
請求項１に係る発明によれば、ナット部材の締付力を外壁支持部材を介してボルト部材に伝えて支持することができるので、建物外壁と建物躯体との間に空間部があったり、断熱材を設けたりして建物外壁が建物躯体に接しておらず離間している場合でも、ナット部材の締付力で建物外壁の構築物取付け部分が凹んだり、割れたりすることがない。
【００１２】
請求項２に係る発明によれば、ナット部材の締付力が外壁支持部材に直接伝わり、建物外壁には作用しないので、剛性が弱く外力で変形し易い建物外壁であっても、ナット部材の締付力で変形（例えば、つぶれ）することがない。
【００１３】
請求項３に係る発明によれば、外壁支持部材はボルト部材の軸方向に位置調整可能であるから、建物躯体と建物外壁との間の間隔に応じて、その外壁支持部材の位置を調整でき、建物躯体と建物外壁との間の間隔が異なる場合にも対応できる。
【００１４】
請求項４に係る発明によれば、外壁支持部材を回すことで軸方向の位置が調整でき、その位置調整が容易にできる。
【発明を実施するための最良の形態】
【００１５】
図１に示すように、建物躯体１と建物外壁２との間には通気用の空間部（空気層）３があり、その建物外壁２は建物躯体１に接しておらず離間している。なお、実際には、建物躯体１に胴縁などの取付材が間隔を置いて複数設けられ、この複数の取付材に亘って建物外壁２が取付けられており、その取付材がない部分において空間部３が形成される。
前記建物躯体１にはボルト部材１０の軸方向基端部が取付けられ、そのボルト部材１０の軸方向先端部が建物外壁２の孔４を挿通して外部側に突出し、その突出部分にナット部材２０を螺合する。
このナット部材２０を締付けることで構築物の取付部分、例えば固定金具３０を建物外壁２の表面位置（つまり室外面）に取付ける。
前記ボルト部材１０の軸方向中間部に外壁支持部材４０が、建物外壁２の裏面位置（つまり、建物外壁２の室内面に接するように）設けてあり、前記ナット部材２０の締付力を外壁支持部材４０を介してボルト部材１０に伝達して支持する。
【００１６】
このようであるから、ナット部材２０の締付力が外壁支持部材４０を介してボルト部材１０で支持され、建物外壁２が建物躯体１に接しておらず離間している場合でも、ナット部材２０の締付力で建物外壁２の構築物取付け部分が建物躯体１側に向けて変形することがなく、その構築物取付け部分が凹んだり、割れたりすることがない。
【００１７】
次に各部材の具体形状の一例を説明する。
前記ボルト部材１０は、図２に示すように、取付板１１にボルト１２を固着し、その取付板１１に取付穴１３を形成した形態で、その取付穴１３から固定具、例えば固定用ボルト１４を建物躯体１に固着、例えば螺合して取付板１１を建物躯体１の取付面（室外面）１ａに取付ける。
そして、ボルト１２が建物外壁２の孔４から外部側に突出する。
【００１８】
前記ナット部材２０は、図２に示すように前記ボルト１２に螺合する六角ナットである。
前記固定金具３０は、取付片３１と一対の支持片３２でコ字形状で、その取付片３１の孔３３にボルト１２が挿通するようにしてあり、取付片３１が建物外壁２の室外面２ａに接する。
この固定金具３０には、図１に仮想線で示すように玄関庇の吊りロッド５が連結され、玄関庇を建物外壁２に吊り下げ状態で取付ける。
【００１９】
前記外壁支持部材４０は建物外壁２の孔４よりも大きく、その孔４の周縁部に接する。そして、外壁支持部材４０はボルト部材１０に、その軸方向に位置調整可能に取付けてある。
例えば、外壁支持部材４０を建物外壁２の孔４よりも大きな板状（好ましくは円板状）で、その中央部分に前記ボルト１２が螺合するボルト孔４１が形成してある。
このようであるから、外壁支持部材４０をボルト１２に対して回すことで締付け、弛めることで軸方向に移動できるから、軸方向に位置調整可能である。
したがって、建物躯体１と建物外壁２との間の間隔が異なる場合でも、その外壁支持部材４０を建物外壁２に接することができる。例えば、図１に示すように建物外壁２の室内面２ｂに接することができる。
【００２０】
図１に示すように、建物外壁２の室内面２ｂに外壁支持部材４０を接し、室外面２ａに固定金具３０を接した場合には、ナット部材２０の締付力は建物外壁２を介して外壁支持部材４０に伝わるので、その建物外壁２に押しつけ力が作用する。
このために、建物外壁２が剛性大であれば、問題がないが、アルミサイディング等の剛性が弱く外力で変形（例えば、つぶれ）し易い建物外壁２であるとナット部材２０の締付力で変形することがある。
【００２１】
この場合には、図３に示すようにボルト部材１０の突出部分には、構築物の取付部分（固定金具３０）と建物外壁２の室外面２ａ（表面位置）との間にさらに外壁支持部材４０を設け、固定金具３０を、この外壁支持部材４０に接して取付け、ナット部材２０の締付力が建物外壁２に作用しないようにすることで、建物外壁２の凹みや、割れを防止する。
つまり、ボルト部材１０に一対の外壁支持部材４０を取付け、その一対の外壁支持部材４０で建物外壁２の室外面２ａ（表面位置）と室内面２ｂ（裏面位置）を挟持する。
【００２２】
図１と図３において、建物外壁２の孔４とボルト部材１０（ボルト１２）との間は水密処理されて雨水等が浸入しないようにしてある。例えば、水密材を充填して水密する。
【００２３】
次に、図１に示す取付装置の施工手順の一例を説明する。
建物躯体１にボルト部材１０を取付ける。
外壁支持部材４０の軸方向位置を調整する。
前記建物躯体１に建物躯体２を取付け、その室内面２ｂにおける孔４の周縁部を外壁支持部材４０に接する。
ボルト部材１０と孔４との間を水密処理する。
ボルト部材１０の突出部分に固定金具３０の孔３３を挿通して建物外壁２の室外面２ａに接し、ナット部材２０を螺合して締付けることで取付ける。
なお、図３に示す取付装置の場合には、他方の外壁支持部材４０をボルト部材１０から外した状態で前述のようにして取付け、その後に他方の外壁支持部材４０をボルト部材１０に取付け（螺合）て建物外壁２の室外面２ａに接し、この後に固定金具３０とナット部材２０を前述のように取付ける。
【図面の簡単な説明】
【００２４】
【図１】本発明の第１の実施の形態を示す取付け状態の断面図である。
【図２】ボルト部材とナット部材と固定金具と外壁支持部材の斜視図である。
【図３】本発明の第２の実施の形態を示す取付け状態の断面図である。
【符号の説明】
【００２５】
１…建物躯体、２…建物外壁、３…空間部、４…孔、１０…ボルト部材、２０…ナット部材、３０…固定金具（構築物の取付け部分）、４０…外壁支持部材。
【図１】
2005188095.tif 000003
【図２】
2005188095.tif 000004
【図３】
2005188095.tif 000005